(57)【特許請求の範囲】
【請求項１】
閉扉可能な収納扉をそれぞれ備え物品を収納する収納庫を複数有する収納装置に設けられる収納位置案内装置であって、
特定の前記収納庫近傍で発光する発光体を有し、
前記発光体は、前記収納扉よりも背面側に設けられ、一部が正面側から見て隠蔽され、一部が互いに隣接する前記収納庫の収納扉のわずかな間隙から正面側に露出する位置に設けられ、前記発光体が発光することにより、前記特定の収納庫の位置を知らせることを特徴とする収納位置案内装置。
【請求項２】
互いに隣接する前記収納庫の収納扉の間隙が接する箇所から、前記発光体の少なくとも一部が正面側に露出して構成されることを特徴とする請求項１記載の収納位置案内装置。
【請求項３】
前記発光体は、少なくとも一部が前記収納庫の庫内の内壁側に露出する位置に設けられ、前記発光体が点灯することにより、前記特定の収納庫の位置を知らせるとともに、前記収納庫の庫内を照らすことを特徴とする請求項１又は２記載の収納位置案内装置。
【請求項４】
請求項１から３のいずれか１項に記載の収納位置案内装置を備えたことを特徴とする収納装置。
【発明の詳細な説明】
【技術分野】
【０００１】
本発明は収納位置案内装置及び収納装置に関し、特に、収納装置において所定の収納庫の位置を利用者に知らせる収納位置案内装置及び収納装置に関する。
【背景技術】
【０００２】
従来、共用又は個人専用の収納装置を用いて、物品を一時預け入れるサービスが、日常のあらゆる場面で利用されており、無くてはならないものとなっている。
例えば、近年、宅配ロッカーと称される施錠可能な収納装置が、集合住宅の共用部等に設置され、宅配便等のサービスに利用されている。
この宅配ロッカーを利用した宅配便サービスにおいては、集合住宅の居住者が不在の場合であっても、宅配業者が居住者宛の配送物を宅配ロッカーの収納ボックス内に入庫し施錠しておき、その後、居住者が該当する収納ボックスを解錠して自分宛の配送物を受け取ることができるようになっている。
また、駅等の公用施設やデパート等の商業施設等においては、従来からコインロッカーが設置されており、利用者は、コインロッカーに自身の荷物を一時的に預け入れ、その後、取り出す。
【０００３】
上記のような物品の一時預け入れサービスで用いられる収納装置に関する従来技術の１つとして、特許文献１が開示するところの宅配ロッカー及び宅配ロッカーの通信システムが提案されている。
特許文献１の宅配ロッカーは、マンション等の集合住宅のエントランスに設置され、上述のような宅配便等のサービスに利用されるものである。集合住宅の居住者宛の配送物が当該宅配ロッカーに入庫されると、当該宅配ロッカーの通信システムは、着荷したこと及び入庫された宅配ロッカーのボックス番号を当該居住者宛に電子メールで通知することにより、居住者は自身宛の配送物が着荷したこと等を確認することができるようになっている。
また、宅配ロッカーに設けられているタッチパネル付きＬＣＤは、居住者等に対して操作方法を画面上で案内するものであり、着荷があった居住者の部屋番号及び宅配ロッカーのボックス番号を表示することができる。
【先行技術文献】
【特許文献】
【０００４】
【特許文献１】特開２００２−３４７７１
【発明の概要】
【発明が解決しようとする課題】
【０００５】
しかしながら、特許文献１の宅配ロッカーの通信システムにおいては、居住者等の利用者は、いざ自身宛の配送物を宅配ロッカーまで取りに行ったとき、どの収納ボックスに入庫されているかを探しにくいという問題がある。
【０００６】
上述のとおり、特許文献１の宅配ロッカーの通信システムにおいては、確かに、居住者が配送物を宅配ロッカーまで取りに行くとき、事前に電子メール等で居住者宛に配送物が入庫されているボックス番号等を通知したり、実際に取に行ったときにＬＣＤ上にボックス番号等を表示したりすることにより、その配送物の入庫位置を居住者等に知らせることができるようになっている。
しかしながら、収納ボックスの数が多い宅配ロッカーの場合には、単にボックス番号の提示だけでは、居住者等は、その収納ボックスの位置をすぐに把握するのが困難な場合がある。
特に、収納ボックスの数が多いために、ＬＣＤ等の操作パネルと離れた位置に該当する収納ボックスがある場合には、当該収納ボックスの位置を把握することが一層困難となる。
例えば、近年、都市部においては高層タワー型マンション等の大規模な集合住宅が建設されており、それに伴って、数十といったかなりの数の収納ボックス数を備えた宅配ロッカーも珍しくなくなってきている。
そのような場合、利用者は、預け入れてある配送物を取り出す際に、特許文献１のように単にボックス番号を提示されただけでは、該当する収納ボックスが解錠されてから当該収納ボックスの位置を特定するまでに時間がかかり、その間に盗難等のトラブルが発生する危険性がある。
【０００７】
本発明は、上記問題点に鑑みてなされたものであり、利用者が収納装置に収納された物品を取りに行くときに、その収納位置を迅速かつ確実に利用者に知らせる収納位置案内装置及び収納装置を提供することを目的とする。
【課題を解決するための手段】
【０００８】
かかる目的を達成するため、本発明は、閉扉可能な収納扉をそれぞれ備え物品を収納する収納庫を複数有する収納装置に設けられる収納位置案内装置であって、特定の収納庫近傍で発光する発光体を有し、発光体は、収納扉よりも背面側に設けられ、一部が正面側から見て隠蔽され、一部が互いに隣接する収納庫の収納扉のわずかな間隙から正面側に露出する位置に設けられ、発光体が発光することにより、特定の収納庫の位置を知らせることを特徴とする。
【００１０】
また、本発明における収納位置案内装置は、互いに隣接する収納庫の収納扉の間隙が接する箇所から、発光体の少なくとも一部が正面側に露出して構成されることを特徴とする。
【００１１】
また、本発明における収納位置案内装置は、発光体は、少なくとも一部が収納庫の庫内の内壁側に露出する位置に設けられ、発光体が点灯することにより、特定の収納庫の位置を知らせるとともに、収納庫の庫内を照らすことを特徴とする。
【００１２】
また、本発明における収納装置は、上記収納位置案内装置を備えたことを特徴とする。
【００１３】
なお、以上の構成要素の任意の組合せや、本発明の構成要素や表現を方法、装置、システム、コンピュータプログラム、コンピュータプログラムを格納した記録媒体などの間で相互に置換したものもまた、本発明の態様として有効である。
【発明の効果】
【００１４】
本発明は、閉扉可能な収納扉をそれぞれ備え物品を収納する収納庫を複数有する収納装置において、特定の収納庫近傍で発光体を発光させることにより、その収納庫の位置を知らせるので、利用者は、自身が取り出そうとする物品が収納されている収納庫の位置、又はこれから物品を収納しようとしている収納庫の位置等を迅速かつ確実に把握することが可能となる。
【図面の簡単な説明】
【００１５】
【図１】本発明の第１の実施の形態における収納装置の構成を示す図である。
【図２】本発明の第１の実施の形態における収納装置の外観を示す図である。
【図３】本発明の第１の実施の形態における収納部の正面図である。
【図４】本発明の第１の実施の形態における収納部の側面断面図（図３のＡ−Ａ’）である。
【図５】本発明の第１の実施の形態における収納装置による解錠時の照明動作の流れを示すフローチャートである。
【図６】本発明の第１の実施の形態における発光体の配置位置の一例を示す図である。
【図７】本発明の第１の実施の形態における発光体の配置位置の他の例を示す図である。
【図８】本発明の第２の実施の形態における収納部の正面図である。
【図９】本発明の第２の実施の形態における収納部の側面断面図（図８のＢ−Ｂ’）である。
【発明を実施するための形態】
【００１６】
＜第１の実施の形態＞
（第１の実施の形態の構成）
図１は、本発明の第１の実施の形態における収納装置１０の構成を示す図である。
また、図２は、本発明の第１の実施の形態における収納装置１０の外観を示す図である。
図１，２に示すように、収納装置１０は、ＣＰＵ等から構成され、収納装置１０全体の処理動作を制御する制御部１１と、閉扉・施錠可能な物品を収納する収納庫１２０を複数備えた収納部１２と、収納部１２の施錠及び解錠を行う施解錠部１３と、情報を表示する表示部１４と、キーや情報読取手段等から構成され情報を入力する操作部１５と、収納部１２の解錠時に点灯する１以上のＬＥＤ等の発光体１６０を備えた発光部１６（収納位置案内装置）と、収納部１２の解錠に必要な情報等を格納する情報格納部１７とを有して構成される。
【００１７】
収納部１２の収納室に物品が入庫されると、施解錠部１３は、当該収納室の収納扉を閉扉した状態で施錠する。
その後、利用者が上記収納室に入庫された物品を受け取りに、収納装置１０の設置場所を訪れる。
そこで、利用者は、操作部１５を操作して収納庫１２０を解錠するためのパスワードを入力する等して認証を行い、該当する収納庫１２０を解錠すると、当該収納庫１２０近くの発光体１６０（発光部１６）が点灯し、その収納庫１２０の位置を利用者に知らせる。
この発光体１６０は、例えば、ＬＥＤや電球等であって、制御部１１と接続されており、制御部１１からの制御信号に基づいて点灯及び消灯の動作を行うものである。
【００１８】
また、情報格納部１７には、図示しない認証用のデータベースが格納されている。
この認証用のデータベースでは、どの居住者宛（住戸宛）の配送物がどの収納庫１２０に収納されているか等の情報が管理されている。
【００１９】
図３は、本発明の第１の実施の形態における収納部１２の正面図である。
また、図４は、本発明の第１の実施の形態における収納部１２の側面断面図（図３のＡ−Ａ’）である。
図３，４に示すように、収納部１２は、複数の収納庫１２０により構成されており、各収納庫１２０においては、収納壁１２１により正面視格子状に区切られ、正面が開口している収納室１２２が形成されている。
収納庫１２０に物品が収納されたときには、その収納庫１２０の開口部１２３は収納扉１２４で閉扉され、施錠されて、収納庫１２０内に収納された物品を取り出すことはできないよう構成されている。
【００２０】
収納扉１２４は、物品が未入庫のときには、施錠されていない状態で閉扉されている。
例えば、配送業者等が庫内に物品を入庫及び閉扉し、部屋番号等の配送先の情報を入力する等して、入庫処理を行うと、制御部１１は、施錠を行う旨の制御信号を施解錠部１３へ出力する。
施解錠部１３は、当該制御信号が入力されると、収納扉１２４が閉扉している状態で施錠され、収納庫１２０内の物品は取り出せなくなる。
その後、利用者が、操作部１５を用いてパスワードを入力する等して認証を行い、認証成功となった場合には、制御部１１は、解錠を行う旨の制御信号を施解錠部１３へ出力する。
施解錠部１３は、当該制御信号が入力されると、施錠及び閉扉している収納扉１２４を解錠する。
なお、この施錠及び解錠を行う機構は、例えばフック状の部材で収納扉１２４を係止する等、従来技術を用いたものであってもよい。
また、収納扉１２４は、解錠時にわずかに開扉するポップアップ式のものを採用してもよい。
【００２１】
また、図３に示すように、収納装置１０は、正面視、複数の収納扉１２４が上述のように開口部１２３を封止するよう格子状に配置されており、これら縦横方向に互いに隣接する収納扉１２４間には、収納壁１２１の正面の一部が露出するかたちで間隙１２５が形成される。
【００２２】
また、図３，４に示すように、収納壁１２１の正面側には、各収納庫１２０の解錠を利用者に知らせる発光体１６０が設けられている。
発光体１６０は、電球又はＬＥＤ等の点灯手段とこれをオン／オフするスイッチ手段とを有して構成される。発光体１６０は、図示しない電源から供給される電力により発光する。また、発光体１６０は、制御部１１と接続されており、制御部１１から入力される制御信号により発光体の点灯のオン／オフが制御される。
【００２３】
発光体１６０は、その点灯部分の少なくとも一部が間隙１２５から正面側に露出するように配置されており、収納扉１２４の閉扉時であっても、当該発光体１６０の点灯が確認可能となっている。
物品が収納されている収納庫１２０が施解錠部１３により解錠されると、その解錠した収納庫１２０近傍の発光体１６０が点灯し、利用者に対して、当該解錠により物品を取り出し可能となった収納庫１２０の位置を知らせる（点線は光の照射方向）。
【００２４】
図３，４に示す例では、発光体１６０は、各収納庫１２０上面側の収納壁１２１に正面側から点灯が視認できるようそれぞれ一対一に配置されているが、解錠された収納庫１２０を特定可能な配置であれば、これに限定されない。
【００２５】
（第１の実施の形態の動作）
以下に説明する実施の形態では、一例として、利用者を集合住宅の居住者とし、収納装置１０に入庫済みの物品を配送業者が当該居住者宛に配送した配送物とし、収納装置１０が宅配ロッカーとして機能するとする。
【００２６】
図５は、本発明の第１の実施の形態における収納装置１０による解錠時の照明動作の流れを示すフローチャートである。
以下、本図に沿って、当該配送物が収納されている収納庫１２０が解錠された際に、発光体１６０が点灯して、その解錠した収納庫１２０の位置を居住者に知らせるときの動作について詳細に説明する。
【００２７】
居住者は、自身宛の配送物が収納装置１０に入庫された旨の連絡を受け取ると、収納装置１０の設置場所を訪れて、自身宛の配送物が収納されている収納庫１２０を解錠するために、操作部１５を操作して、所定の認証情報を入力する（ステップＳ１０１）。
この認証情報とは、自身のＩＤ、パスワード、自身が居住する集合住宅等の部屋番号等である。
また、認証情報の入力方法としては、操作部１５に設けられているキーの押下、表示部１４上に表示されたタッチパネルの操作、又はＩＣカード等の情報記録媒体に書き込まれた認証情報を操作部１５に設けられた読取装置に読み取らせる等様々な方法があり、また、これに限定されず、他の方法でもよい。
【００２８】
制御部１１は、ステップＳ１０１において居住者により入力された認証情報と、情報格納部１６に格納されている認証用のデータベースで管理されている認証情報とを照合して、認証成功か否かを判断する（ステップＳ１０２）。
ここで、制御部１１は、認証失敗と判断すると（ステップＳ１０２／Ｎｏ）、当該居住者が解錠可能な収納庫１２０はないものとし、動作を終了する。
【００２９】
一方、制御部１１が認証成功と判断した場合には（ステップＳ１０２／Ｙｅｓ）、情報格納部１６に格納されている認証用のデータベースを参照して、当該認証成功した居住者宛の配送物が収納されている収納庫１２０の位置を特定して（ステップＳ１０３）、施解錠部１３に該当する収納庫１２０を解錠させるとともに（ステップＳ１０４）、その収納庫１２０近くの発光体１６０を点灯させて、当該収納庫１２０の位置を、配送物を受け取りに来た居住者に知らせる（ステップＳ１０５）。
居住者は、上記点灯した発光体１６０に近付き、当該発光体１６０近くで解錠されて開扉された収納庫１２０から自身宛の配送物を取り出し、受け取る。
以上で、動作を終了する。
【００３０】
（第１の実施の形態における発光体１６０の配置位置）
（１）１つの発光体１６０が２つの収納庫１２０の解錠を知らせる場合
図６は、本発明の第１の実施の形態における発光体１６０の配置位置の一例を示す図である。
以上説明した図３，４に示す例では、発光体１６０は、各収納庫１２０に対して一対一にそれぞれ配置されているが、これに対し、図６に示す例では、１つの発光体１６０が２つの収納庫１２０の少なくとも一方の解錠を利用者に知らせるよう配置されている。
【００３１】
図６は、収納装置１０を正面から見た図であり、一例として、４つの収納庫１２０ａ〜１２０ｄが示されている。
これら４つの収納庫１２０ａ〜１２０ｄのうち、収納庫１２０ａと収納庫１２０ｂの間隙１２５ａから点灯部分の一部が正面側に露出するように発光体１６０ａが配置されている。
また、収納庫１２０ｃと収納庫１２０ｄの間隙１２５ｂから点灯部分の一部が正面側に露出するように発光体１６０ｂが配置されている。
【００３２】
図６において、発光体１６０ａ，１６０ｂによる照明範囲がそれぞれ点線で示されている。
発光体１６０ａは、収納庫１２０ａ，１２０ｂの少なくとも一方の解錠を利用者に知らせるために点灯し、発光体１６０ｂは、収納庫１２０ｃ，１２０ｄの少なくとも一方の解錠を利用者に知らせるために点灯する。
このように、図６に示す例では、１つの発光体１６０が、２つの収納庫１２０のそれぞれの解錠を知らせる用途を兼ねており、収納装置１０における発光体１６０の設置個数を効果的に削減することができ、装置構成の簡略化を実現することが可能となっている。
【００３３】
なお、図６の例では、上下２段の収納庫１２０の間隙１２５から発光体１６０の点灯部分の一部が正面側に露出するように配置されているが、互いに隣接する収納庫１２０間の間隙１２５であればこれに限定されず、例えば、左右２列の収納庫１２０ａ，１２０ｃ間の間隙１２５から発光体１６０の点灯部分の一部が正面側に露出するように配置されていてもよい。
【００３４】
（２）１つの発光体１６０が４つの収納庫１２０の解錠を知らせる場合
図７は、本発明の第１の実施の形態における発光体１６０の配置位置の他の例を示す図である。
以上説明した図６に示す例では、１つの発光体１６０が、２つの収納庫１２０のいずれか一方の解錠を知らせるよう配置されていた。
これに対し、図７に示す例では、１つの発光体１６０が、４つの収納庫１２０のいずれか１つの解錠を知らせるよう配置されている。
【００３５】
図７は、収納装置１０を正面から見た図であり、一例として、４つの収納庫１２０ａ〜１２０ｄが示されている。
また、収納庫１２０ａと収納庫１２０ｂには間隙１２５ａが、収納庫１２０ｃと収納庫１２０ｄには間隙１２５ｂが、収納庫１２０ａと収納庫１２０ｃには間隙１２５ｃが、収納庫１２０ｂと収納庫１２０ｄには間隙１２５ｄが、それぞれ形成されている。
図７に示すように、発光体１６０ｃは、これら４つの間隙１２５ａ〜１２５ｄが接する箇所、すなわち、収納庫１２０ａ〜１２０ｄの略中央部分に、点灯部分の一部が正面側に露出するように配置されている。
【００３６】
図７において、発光体１６０ｃによる照明範囲が点線で示されている。
発光体１６０ｃは、収納庫１２０ａ〜１２０ｄの少なくとも１つの解錠を利用者に知らせるために点灯する。
このように、図７に示す例では、１つの発光体１６０ｃが、４つの収納庫１２０ａ〜１２０ｄそれぞれの解錠を知らせる用途を兼ねており、収納装置１０における発光体１６０の設置個数を効果的に削減することができ、装置構成の簡略化を実現することが可能となっている。
【００３７】
なお、図７の例では、上下２段、左右２列計４つの収納庫１２０ａ〜１２０ｄの間隙１２５ａ〜１２５ｄが接する箇所から発光体１６０の点灯部分の一部が正面側に露出するように配置されているが、間隙１２５が接する又は交差する箇所であればこれに限定されない。
【００３８】
（第１の実施の形態のまとめ）
以上説明したように、本発明の第１の実施の形態における収納装置１０によれば、居住者が自分宛の配送物を収納装置１０に取りに行き、その配送物が収納されている収納庫１２０を解錠するとき、発光体１６０が点灯し、その解錠された収納庫１２０の少なくとも一部を照らすので、収納庫１２０を多数備えているがゆえに、どの収納庫１２０が解錠されたかが解りづらい場合であっても、居住者はその解錠された収納庫１２０の位置を迅速かつ確実に把握することが可能となる。
【００３９】
また、本実施の形態によれば、発光体１６０は、例えば収納扉１２４正面の目立つ位置等に設けずに、各収納扉１２４の間のわずかな間隙１２５からその点灯部分が露出し、解錠時にはその間隙１２５から光を照らすので、収納装置１０全体の美観を保ちつつ解錠した収納庫１２０の位置を居住者に知らせることが可能となる。
【００４０】
＜第２の実施の形態＞
（第２の実施の形態の構成）
図８は、本発明の第２の実施の形態における収納部１２の正面図である。
また、図９は、本発明の第２の実施の形態における収納部１２の側面断面図（図８のＢ−Ｂ’）である。
以下、特記しない限り、本発明の第２の実施の形態における構成及び動作は、本発明の第１の実施の形態と同様であるとして説明を進める。
【００４１】
図８，９に示すように、本発明の第２の実施の形態では、本発明の第１の実施の形態と発光体１６０の配置位置が異なっている。
すなわち、第１の実施の形態では、発光体１６０は点灯部分が収納装置１０（収納壁１２１，間隙１２５）の正面側にのみ露出していたのに対し、第２の実施の形態では、１つの発光体１６０の点灯部分が収納装置１０の正面側と、収納室１２２の内面上側（天井側）の両方に露出するよう構成される。
従って、本実施の形態では、収納庫１２０を解錠したとき、１つの発光体１６０が発光することにより、第１の実施の形態と同様に正面側に点灯して収納庫１２０の位置を利用者に知らせるとともに、当該収納庫１２０の庫内（収納室１２２内）を照らして、利用者が収納室１２２から物品を取り出しやすくするという２つの効果を奏するようになっている（点線は光の照射方向）。
【００４２】
（第２の実施の形態のまとめ）
以上説明したように、本発明の第２の実施の形態によれば、発光体１６０は、収納庫１２０を解錠時に、間隙１２５から正面側に光を照射して当該解錠した収納庫１２０の位置を利用者に対して迅速かつ確実に知らせるとともに、その収納庫１２０を開扉したときには庫内を照らすので、利用者は庫内から物品を容易に取り出すことが可能となる。
特に、収納装置１０の設置場所の照明が暗めに設定されていた場合、利用者は、発光体１６０により正面側へ照射される光をはっきりと確認できるとともに、収納庫１２０の庫内も明るく照らされているので、スムーズに物品を取り出すことが可能となる。
【００４３】
なお、本発明の第２の実施の形態によれば、発光体１６０は、収納装置１０の正面側だけでなく、収納室１２２の上方内面側（収納壁１２１の内面）からも少なくとも点灯部分の一部が露出するよう構成されているが、収納室１２２内（庫内）を明るく照らすことができる位置であれば、その収納室１２２における露出箇所はこれに限定されない。
例えば、発光体１６０の点灯部分の少なくとも一部が、収納装置１０の正面側と収納室１２２の側方内面側に露出するよう構成されてもよい。
【００４４】
＜実施形態のまとめ＞
以上説明したように、本発明の第１，２の実施の形態によれば、収納装置１０によれば、利用者が自分宛の物品を収納装置１０に取りに行き、その物品が収納されている収納庫１２０を解錠するとき、発光体１６０が点灯し、その解錠された収納庫１２０の少なくとも一部を照らすので、収納庫１２０を多数備えているがゆえに、どの収納庫１２０が解錠されたかが解りづらい場合であっても、利用者はその解錠された収納庫１２０の位置を迅速かつ確実に把握することが可能となる。
【００４５】
また、本発明の第１，２の実施の形態によれば、発光体１６０は、例えば収納扉１２４正面の目立つ位置等に設けずに、各収納扉１２４の間のわずかな間隙１２５からその点灯部分が露出し、解錠時にはその間隙１２５から光を照らすので、収納装置１０全体の美観を保ちつつ解錠した収納庫１２０の位置を利用者に知らせることが可能となる。
【００４６】
また、本発明の第２の実施の形態によれば、発光体１６０は、収納庫１２０を解錠時に、間隙１２５から正面側に光を照射して当該解錠した収納庫１２０の位置を利用者に対して迅速かつ確実に知らせるとともに、その収納庫１２０を開扉したときには庫内を照らすので、利用者は庫内から物品を容易に取り出すことが可能となる。
特に、収納装置１０の設置場所の照明が暗めに設定されていた場合には、利用者は、照明が暗いために物品を取り出しずらいということもなく、一方で上記正面側へ照射される光をはっきりと確認でき、スムーズに物品を取り出すことが可能となる。
【００４７】
なお、上記の実施の形態は本発明の好適な実施の一例であり、本発明の実施の形態は、これに限定されるものではなく、本発明の要旨を逸脱しない範囲において種々変形して実施することが可能となる。
例えば、上記の実施の形態では、収納装置１０は宅配ロッカーとして機能するとしたが、その他、郵便物を収納するメールボックスやコインロッカーとして機能するとしてよい。
また、利用者も集合住宅の居住者に限らず、配送業者やコインロッカーに自身の荷物を預ける者であってもよい。
【００４８】
また、上記の実施の形態によれば、発光体１６０は、収納庫１２０の解錠時に発光し、その収納庫１２０の位置を知らせるものであったが、発光するタイミングはこれに限られない。
例えば、配送業者やコインロッカーの利用者等が物品を入庫する際に、収納装置１０は、発光体１６０が発光し、その物品を入庫する収納庫１２０を指定するようにしてもよい。
【符号の説明】
【００４９】
１０    収納部
１１    制御部
１２    収納部
１３    施解錠部
１４    表示部
１５    操作部
１６    発光部
１７    情報格納部
１２０，１２０ａ〜１２０ｄ    収納庫
１２１    収納壁
１２２    収納室
１２３    開口部
１２４    収納扉
１２５，１２５ａ〜１２５ｄ    間隙
１６０，１６０ａ〜１６０ｃ    発光体
【図１】
0006543503.tif 000002
【図２】
0006543503.tif 000003
【図３】
0006543503.tif 000004
【図４】
0006543503.tif 000005
【図５】
0006543503.tif 000006
【図６】
0006543503.tif 000007
【図７】
0006543503.tif 000008
【図８】
0006543503.tif 000009
【図９】
0006543503.tif 000010